(57)【要約】      （修正有）【課題】表面に任意な形状の刺繍が施された布団部であって、しかも簡易に製作することが可能な剣道具布団部及びこの剣道具布団部を備えることにより意匠効果を高めた剣道具を提供する。【解決手段】剣道具に備えられ、竹刀による打突を緩衝させる剣道具布団部において、前記緩衝用の板状芯材２０と、板状芯材２０を包んだ状態で板状芯材２０に縫着される布材１８とを備え、布材１８に刺繍２２が施されたことを特徴とする。【選択図】図２
0003185466.tif 000002
【実用新案登録請求の範囲】
【請求項１】
剣道具に備えられ、竹刀による打突を緩衝させる剣道具布団部において、
前記緩衝用の板状芯材と、
前記板状芯材を包んだ状態で前記板状芯材に縫着される布材とを備え、
前記布材に刺繍が施されたことを特徴とする剣道具布団部。
【請求項２】
前記布材は、袋状に形成され、前記袋状の内側に前記板状芯材が収納されることを特徴とする請求項１記載の剣道具布団部。
【請求項３】
請求項１又は２記載の剣道具布団部を備える剣道具。
【考案の詳細な説明】
【技術分野】
【０００１】
本考案は、剣道具に関し、特に小手、面、或いは垂れ等に使用される防具用の布団部に関する。
【背景技術】
【０００２】
従来、剣道の練習や試合等で着用される剣道具は、例えば面、小手、胴並びに垂等から構成される。これらの面、小手或いは垂等は、竹刀による打突の際の緩衝用としてのクッション材を有する布団部を備える。
【０００３】
この布団部は、クッション材としての例えばフェルト材からなる板状の芯材や、この芯材を包むとともに、糸で芯材に縫いつけられる布材を備えて形成される。昨今では、このような布団部に刺繍を施し意匠効果を高めた剣道具も見られる様になって来ている。
【０００４】
この布団部に刺繍を施す技術に関し、これまでも様々な提案がされている（例えば特許文献１）。
【先行技術文献】
【特許文献】
【０００５】
【特許文献１】実公平７−３３８１９号公報
【考案の概要】
【考案が解決しようとする課題】
【０００６】
特許文献１によれば、例えばクロム鞣皮による表皮・布・紙・フェルト等で積層構成し、同一針孔に複数回の針を通してジグザグ状、或いはカギ形状等にミシン縫いし、菱形状や亀甲形状の幾何学的な文様を形成した剣道具が開示されている。
【０００７】
しかしながら、特許文献１の剣道具によれば、ジグザグ状、或いはカギ形状等にミシン縫いする構成であるため、菱形状や亀甲形状の幾何学的な文様を形成できるものの、布団部の表面に任意な形状の刺繍を形成することが困難になる虞があるという問題があった。
【０００８】
また、特許文献１の剣道具によれば、同一針孔に例えば４回等の複数回の針を通す必要があるため、幾何学的文様等の刺繍を施す作業に熟練を要する等、刺繍入り剣道具の製作が煩雑になる虞があるという問題があった。
【０００９】
そこで、本考案は、上記従来の問題に鑑みてなされたものであり、その目的は、表面に任意な形状の刺繍が施された布団部であって、しかも簡易に製造することが可能な剣道具布団部及びこの剣道具布団部を備えた剣道具を提供することにある。
【課題を解決するための手段】
【００１０】
請求項１の考案は、剣道具に備えられ、竹刀による打突を緩衝させる剣道具布団部において、前記緩衝用の板状芯材と、前記板状芯材を包んだ状態で前記板状芯材に縫着される布材とを備え、前記布材に刺繍が施された、剣道具布団部である。
【００１１】
請求項２の考案は、請求項１記載の剣道具布団部において、前記布材は、袋状に形成され、前記袋状の内側に前記板状芯材が収納されることを特徴とする。
【００１２】
請求項３の考案は、請求項１又は２記載の剣道具布団部を備える、剣道具である。
【考案の効果】
【００１３】
本考案によれば、剣道具に備えられ、竹刀による打突を緩衝させる剣道具布団部において、前記緩衝用の板状芯材と、前記板状芯材を包んだ状態で前記板状芯材に縫着される布材とを備え、前記布材に刺繍が施された構成であるから、例えばミシン等により任意の刺繍が施された布材を製作し、この布材で板状芯材を包んで縫着するという容易な作業により、表面に任意な形状の刺繍が施された布団部であって、しかも簡易に製作可能な剣道具布団部を提供できる。
【００１４】
また、前記布材は、袋状に形成され、前記袋状の内側に前記板状芯材が収納される構成であるから、板状芯材を布材で包む作業を簡略化できる。
【図面の簡単な説明】
【００１５】
【図１】本考案の実施形態に係る剣道具の例を説明する斜視図である。
【図２】本考案の実施形態に係る剣道具布団部の例を説明する斜視図である。
【図３】本考案の実施形態に係る剣道具布団部の例を説明する斜視図である。
【図４】本考案の実施形態に係る剣道具布団部の他の例を説明する斜視図である。
【考案を実施するための形態】
【００１６】
以下、本考案の実施形態に係る剣道具としての籠手を例にとり、図１〜図３を用いて説明する。
本実施形態の籠手１０は、図１に示す様に、手が挿入される頭部１２と、この頭部１２に連接して縫い合わされる手首部１４と、手首部１４に連接して縫い合わされる剣道具布団部としての籠手布団部１６とを備える。ここで、頭部１２並びに手首部１４については公知のものを用いることができるため、その説明は省略する。
【００１７】
次に、本実施形態の籠手布団部１６について、図２及び図３を用いて説明する。図２及び図３は、籠手布団部１６の製作過程の例を示す図であり、図２（ａ）、図２（ｂ）次に図３の順で、籠手布団部１６が製作される様子を示す斜視図である。
【００１８】
本実施形態の籠手布団部１６は、図２に示す様に、布材１８と、板状芯材２０とを備える。
先ず、本実施形態の板状芯材２０は、竹刀による打突の際の緩衝用素材であり、図２（ｂ）に示す様に、例えば手首から肘までの腕部分に巻きつけ可能な広さで、ある程度厚みを有する長方形状のフェルト材で形成できる。板状芯材２０は、フェルト材に限るものではなく、例えば羊毛毛布材等を用いてもよい。
【００１９】
次に、本実施形態の布材１８は、図２（ａ）に示す様に、例えば花弁等の刺繍２２が施された長方形状の布地を、袋状に縫い合わせて形成される。その際、図２（ｂ）に示す様に、袋状の内側に板状芯材２０が収納可能なサイズで形成される。なお、刺繍模様は、本実施形態の花弁状に限るものではなく、着用した際に美観や意匠効果が高まる任意の模様とすることができる。
【００２０】
そして、図２（ｂ）に示す様に、板状芯材２０が、袋状の内側に板状芯材２０が収納される。次に、図３に示す様に、例えば板状芯材２０の厚み方向に糸２４を通し縫いすることで、布材１８を板状芯材２０に縫着する。このように、布材１８は、板状芯材２０を包んだ状態で板状芯材２０に縫着されるのである。
【００２１】
なお、布材は、本実施形態の袋状に限るものではなく、板状芯材２０全体を覆うことができる程度の広さの長方形状の布地からなっていても良い。
このように形成される籠手布団部１６を筒状に湾曲させて公知の籠手紐（図示せず）を取付け、図１に示す様に、手首部１４に連接して縫い合わせることで籠手１０を形成できる。
【００２２】
また、布団部は、本実施形態の籠手布団部１６に限るものではなく、図４に示す様に、例えば面２８を構成する面布団部３０であっても良い。或いは、腰垂れを構成する垂布団部であってもよい。
【００２３】
これまで説明してきた様に、本実施形態の剣道具布団部としての籠手布団部１６及び面布団部３０によれば、表面に任意な形状の刺繍が施された布団部であって、しかも簡易に製作可能な剣道具布団部及びこの剣道具布団部を備えることにより意匠効果に優れた剣道具を提供できる。
【００２４】
以上、本考案の実施形態のうちいくつかを図面に基づいて詳細に説明したが、これらはあくまでも例示であり、当業者の知識に基づいて種々の変形、改良を施した他の形態で本考案を実施することが可能である。
【符号の説明】
【００２５】
１０  籠手
１６  籠手布団部（剣道具布団部）
１８  布材
２０  板状芯材
２２  刺繍
２８  面
３０  面布団部（剣道具布団部）
【図１】
0003185466.tif 000003
【図２】
0003185466.tif 000004
【図３】
0003185466.tif 000005
【図４】
0003185466.tif 000006